(57)【要約】【課題】小型トラック荷台のカバーシート巻取り収納装置で、メーカー及び車種が違っても、荷台前方の補強材に簡単に取付取り外し、また覆う事を可能とする。【解決手段】トラック荷台の前方部に位置する補強材にシートカバー収納装置を取付け、収納装置の高さを補強材に取り付けた収納装置取付金具で高さ調整し固定する。シートカバー収納装置の内部に設けた巻取り収納装置でシートカバーの巻取り時に、シートをたるみやダブツキによる巻き膨れや巻きズレを少なくスムーズに巻取り、また引き出しをする為に、巻取り回転軸に平行にシートを挟み込むようにシート押さえローラーと受けローラーを設ける。【選択図】図１
0003147640.tif 000002
【実用新案登録請求の範囲】
【請求項１】
小型トラック荷台の荷台前方の補強材に、車種やメーカーが違っても車体に傷を付けず簡単に取付取り外しが出来、高さ調整も可能なシート巻取り収納装置で、装置自体の両サイドを含む荷台全体を必要に応じて簡単にシートカバーしたり巻取り収納することが出来ることを特徴とするトラック荷台シートカバー巻取り収納装置。
【請求項２】
シート巻取り収納装置の左右に軸受けを設け、シートカバーを巻取るための巻取回転軸を中央に設け、軸と平行にシートの巻取り膨れやズレを少なくしてスムーズに巻取りや引出しを行うためのローラーを２段にシートを挟込むような形で取り付けたことを特徴とする請求項１記載のトラック荷台シートカバー巻取り収納装置。
【請求項３】
収納装置の巻取り手段は、装置左側に巻取回転軸芯を突き出し、取り外しの出来るハンドルを直接軸芯に差込み回転させ巻取る方法で、シート終端のストッパー付引き紐まで巻取り、次にシートを引き出す時は、ストッパー引き紐を引っ張る出すことを特徴とする請求項２記載のトラック荷台シートカバー巻取り収納装置。
【請求項４】
巻取り手段の巻き加重を少なくするために、巻取り軸芯に歯車小をハンドル取付軸側に歯車大を取付け互いに噛合せて置き、ハンドル取付軸にハンドルを差込み歯車大を回転させ軸芯の歯車小を駆動させることを特徴とする請求項３記載のトラック荷台シートカバー巻取り収納装置。
【請求項５】
収納装置と荷台の両サイドは、収納装置と荷台サイドとの隙間分と荷積み高さを考慮した幅分を加えた長さのシートを両サイドに付け加える事で隙間発生をカバーする、装置自体の両サイドは、シートの前面に巻取軸に取付けるための軸巻取りシートを作る、軸巻取りシートの長さに引出しシロを十分に取る事で、軸巻取りシートも含むシート全体を引出し、シート前面を持ち上げる様に巻取収納装置前面より装置全体を包み込むように荷台最前まで覆うことを特徴とする請求項４記載のトラック荷台シートカバー巻取り収納装置。
【請求項６】
軸巻取りシート幅を基準点とし左右のシート側面を、シート中心に向けてそれぞれ谷折に折込む、それだけでは巻取る際に巻き膨れやズレが生じるために、折り目部分に折り目加工をしておく、又折り畳んだ際シート前面のそれぞれの角がシートと重なる位置に、左右それぞれに三角形の折込袋を取り付け、その袋に折込んだ角を差込み固定する、更にシートの後面の幅を前面より短くすることで、巻きズレが生じても両サイド外側への広がりを押さえられると共に、シートの巻取る位置を下方に設け、折り込んだ面を内側にして巻き込むことを特徴とする請求項５記載のトラック荷台シートカバー巻取り収納装置。
【考案の詳細な説明】
【技術分野】
【０００１】
本考案は、トラック荷台に車種やメーカーが違っても取付ができ、必要に応じて簡単に荷台全体をシートカバーしたり巻取り収納する装置に関するものです。      
【背景技術】
【０００２】
トラック荷台を、急な雨や雪また荷積みの支持の度に、シートカバーしたり片付けたりするのは面倒だし、必要な時にシートを積んで無かったり、荷積みの底に入れて有りと困ったことが多い、又手間を省くために荷台前方の補強材にシートを無造作に巻き付けっ放しで走行しているので見苦しい。
【０００３】
一見、多くのトラック荷台に装着して有りそうな装置なのに、これだけ多く小型トラックが走り廻っているにも関わらず見かけた事がないので、実用的なこの装置を考案しました。
【特許文献１】実用新案登録第３１１６３２９号公報
【特許文献２】実用新案登録第３０６７７３７号公報
【特許文献３】特開平７−２１４１号公報
【考案の開示】
【考案が解決しようとする課題】
【０００４】
この様な装置が実用化されてないのは、下記課題が解決されてないからだと思います、トラック荷台は車種やメーカーにより違うので、どの様にしかも簡単に取付取り外しするか、荷台全体装置自体の両サイドを含めどうカバーするのか、巻取り収納するのは良いが、シートの巻き膨れや巻きズレ等どんな方法で処理するのか、シートカバーと車を支持するためのゴム紐等はシートに取り付けたままでスムーズに巻取れるのか、ゴム紐をその都度取り外すなら簡単な方法はどうするのか、痛んだシートはどのように簡単に取り替えるのか、作業車なので手荒い使用が考えられるので、どう手間を掛けず故障率を少なく安全も確保出来るのか、外観的に魅力的な装置なのか等、文献に開示されてる発明には、不具合が起きる可能性や手間も掛かる物が多く、実用的で魅力的な面等が解決されて無かった。
【課題を解決するための手段】
【０００５】
小型トラックのごく一般的な日常の荷台作業に絞り簡単でスマートなシートカバー巻取り収納装置で、車種、メーカーが違っても荷台前方の補強材に装置取付金具をスライド調整ボルトを緩め、スライド調整溝に沿わせてずらしスライド調整ボルトを締め付ける、次に高さ調整を行い補強材取付金具で補強材を抱き込むように締め付けて固定する。装置は構造材の左右に軸受け固定材を設け中央にシートカバーを巻取るための巻取り回転軸を受ける、又シートカバーを巻取るさい、巻き膨れやズレを少なくし。スムーズに巻取りや引出しする為に、回転軸と平行にシートを挟み込むように、下方にシートを受けるローラーを上部にシートを抑える為のローラーを設ける、巻取り手段は装置左側面に回転軸芯を突き出し、取り外しの出来るハンドルを直接軸心に差込回転させて巻取る方法か、巻き加重を軽減させる為に、軸心に歯車小を固定し噛合うように歯車大を取付る、歯車大の芯にハンドルを差込回転させてシートカバー終端中央のストッパー付引き紐まで巻取り収納する、引出しはストッパー付引き紐を必要なだけ引っ張り出し荷台をカバーする方法で行う。
【０００６】
巻取収納装置は荷台横幅内に納めるため、装置幅内のシートカバーでは装置と荷台の両サイド及び装置自体と荷台の両サイドの空間をカバーする事が出来ない、それを補うために装置幅内のシートの両サイドに、装置と荷台空間の幅分と、荷積み高さ分を考慮した長さのシートを加える事で、又巻取り回転軸に固定するための軸取付シートを設け、そのシートに十分な巻取りシロを取る事で、軸取付シートを含めシート全体を引出し、装置全体を包み込むよう持ち上げ前面に覆うことで荷台全体をシートカバーすることが出来る  
【考案の効果】
【０００７】
本考案の装置は小型トラックの車種やメーカーの違いに関わらず、簡単に取付取り外しができ、簡単な方法で必要な時に必要なだけ荷台をシートカバーしたり巻取り収納出来る、シートの取替えも容易で単純な構造なので故障率が少なく安全で外観も良い。
【考案を実施するための最良の形態】
【０００８】
本考案は、車種やメーカーの違いにも関わらず取付対応が出来て、シートとそれを巻取る装置の工夫で実現した。
【実施例１】
【０００９】
図１は、考案したシートカバー巻取り収納装置外観図及び構造図全般、及び装置を荷台補強材に取り付ける際、スライドする事で異なった車種に取付る為の裏面の詳細図。
【００１０】
図２は、装置構造及び巻取り手段の詳細図。
【００１１】
図３は、シートカバー巻取り収納装置にスムーズに巻取る為に工夫されたシートカバー、及び巻取り軸にシートを取り付ける詳細図
【００１２】
図４は、装置をトラック荷台に実装した詳細図。
【００１３】
図５は、装置を使用しトラック荷台全体をシートカバーした装着例図。
【００１４】
図６は、装置シートカバートラック荷台装着例図。
【産業上の利用可能性】
【００１５】
本考案は、車種やメーカーが異なった小型トラックの荷台に簡単に取付取り外しができ、荷台を必要に応じ必要なだけスムーズにシートカバーし収納できる、シートカバーも簡単に取替えできる。
【００１６】
装置は、単純な構造で操作も簡単その分故障率も少なくコストも掛からない。
【００１７】
構造材やシートの質や素材の選択により軽量小型化が可能に成り、中型車も利用できる。
【図面の簡単な説明】
【００１８】
【図１】シートカバー巻取り収納装置外観図及び構造図全般を示す。
【図２】装置詳細図を示す。
【図３】シートカバー詳細図を示す。
【図４】装置トラック荷台取付詳細図を示す。
【図５】装置シートカバートラック荷台装着例図を示す。
【図６】装置シートカバートラック荷台装着例図を示す。
【符号の説明】
【００１９】
１    シートカバー巻取り収納装置
２    外装カバー    
３    サイドカバー    
４    装置取付金具
５    荷台取付金具
６    スライド調整ボルト
７    スライド調整溝
８    装置構造材
９    軸受け固定材
１０  巻取回転軸
１１  回転軸芯
１２  軸受け部
１３  ハンドル
１４  シートカバー
１５  シート押さえローラー
１６  シート受けローラー
１７  ローラー支持材
１８  軸用歯車
１９  ハンドル用歯車
２０  簡易引き紐
２１  ストッパー付引き紐
２２  トラック補強材
２３  トラック荷台
２４  トラック
１０ａ  回転軸シート取付用押え金物
１０ｂ  シート取付金物押えビス
１４ａ  軸巻取りシート部
１４ｂ  サイドシート
１４ｃ  折り目加工部
１４ｄ  サイドシート折込収納袋
１４ｅ  シート支持用穴  
【図１】
0003147640.tif 000003
【図２】
0003147640.tif 000004
【図３】
0003147640.tif 000005
【図４】
0003147640.tif 000006
【図５】
0003147640.tif 000007
【図６】
0003147640.tif 000008
【手続補正書】
【提出日】平成20年11月5日(2008.11.5)
【手続補正１】
【補正対象書類名】実用新案登録請求の範囲
【補正対象項目名】請求項１
【補正方法】変更
【補正の内容】
【請求項１】
小型トラック荷台の荷台前方のトラック補強材に、幅又は高さに応じてスライド調整可能な構造を具えた荷台取付金具を介して、トラック荷台シートカバー巻き取り収納装置に具備した装置取付金具をトラック補強材に取り付ける可能としたことを特徴とするトラック荷台シートカバー巻き取り収納装置。